(57)【要約】      （修正有）【課題】床面板の傾斜面上に付着した水滴をより流下させ易くすることを可能とする床下断熱板を提供する。【解決手段】左右に間隔を空けて架設された複数の横架材６間に取り付けられる床下断熱板１において、断熱板上面１ａに形成された凹部１１と、断熱板上面１ａにおいて凹部１１を取り囲んで設けられた周壁部１３と、凹部１１において板厚方向に貫通して形成された通水孔１５と、凹部１１において通水孔１５に向けて下方に傾斜して形成された傾斜面１７と、該傾斜面１７より上方に突出した複数の間隔保持片２１とを備える。周壁部１３は、複数の横架材６上に配設される床面板が載置される載置面１３ａを有する。間隔保持片２１は、その上端面が載置面１３ａと略同一高さに位置するように形成されている。【選択図】図３
0003166254.tif 000002
【実用新案登録請求の範囲】
【請求項１】
左右に間隔を空けて架設された複数の横架材間に取り付けられる床下断熱板において、
断熱板上面に形成された凹部と、
前記断熱板上面において前記凹部を取り囲んで設けられた周壁部と、
前記凹部において板厚方向に貫通して形成された通水孔と、
前記凹部において前記通水孔に向けて下方に傾斜して形成された傾斜面と、
前記傾斜面より上方に突出した複数の間隔保持片とを備え、
前記周壁部は、前記複数の横架材上に配設される床面板が載置される載置面を有し、
前記間隔保持片は、その上端面が前記載置面と略同一高さに位置するように形成されていること
を特徴とする床下断熱板。
【請求項２】
前記傾斜面は、前記凹部において前記周壁部から前記通水孔に向けて下方に傾斜して形成されるとともに、その上端が前記載置面より下方に位置していること
を特徴とする請求項１記載の床下断熱板。
【請求項３】
前記傾斜面の表面に間隔を空けて形成された複数の凸部を更に備えること
を特徴とする請求項１又は２記載の床下断熱板。
【請求項４】
前記複数の凸部は、その最大径が３ｍｍ〜１０ｍｍ、その高さが１ｍｍ〜３ｍｍ、隣り合う凸部間の間隔が２ｍｍ〜５ｍｍとなるように形成されていること
を特徴とする請求項３記載の床下断熱板。
【考案の詳細な説明】
【技術分野】
【０００１】
本考案は、建物の床下に配設される床下断熱板に関するものである。
【背景技術】
【０００２】
従来より、建物の床下構造の断熱性を向上させるために、大引き等からなる横架材間に発泡合成樹脂製の床下断熱板を配設したうえで、そのうえに床面板を配設する場合がある。
【０００３】
ここで、プラットフォーム工法のような、屋根を仕上る前に床を仕上ることが求められる工法では、断熱板を配設してから床面板を配設するまでの間に雨が降る等した場合に、断熱板の上に水が残留してしまうという問題がある。また、床面板の下面において結露により結露水が発生した場合においても同様に、断熱板の上に水が残留してしまうという問題がある。
【０００４】
これを回避するため、特許文献１、２には、断熱板上面に傾斜面を設けて、断熱板上に付着した水を傾斜面により下方に流下させて、複数の断熱板間に設けられた隙間や断熱板に形成された通水孔を通して水を床下に排出することによって、断熱板上の水を除去できるようにした断熱板が提案されている。
【先行技術文献】
【特許文献】
【０００５】
【特許文献１】実用新案登録第３１２９４８２号
【特許文献２】特開２００８−１２７８８６号公報
【考案の概要】
【考案が解決しようとする課題】
【０００６】
しかしながら、特許文献１、２の何れに開示された断熱板も、床面板と断熱板の傾斜面との間において、これらの間隔を保持するためのものが何ら設けられていないため、床面板がたわむ等した場合において床面板が断熱板の傾斜面と接触してしまい、その接触部において傾斜面による水の流下が妨げられるという問題があった。また、何れの断熱板も傾斜面の表面に特段の工夫が施されていないことから、傾斜面上に付着した水滴が流下せずにそのまま残留してしまう恐れがあるという問題もあった。
【０００７】
そこで、本考案は、上述した問題点に鑑みて案出されたものであり、その目的とするところは、床面板の傾斜面上に付着した水滴をより流下させ易くすることを可能とする床下断熱板を提供することにある。
【課題を解決するための手段】
【０００８】
本考案者は、上述した課題を解決するために、鋭意検討の末、下記の床下断熱板を考案した。
第１考案は、左右に間隔を空けて架設された複数の横架材間に取り付けられる床下断熱板において、断熱板上面に形成された凹部と、前記断熱板上面において前記凹部を取り囲んで設けられた周壁部と、前記凹部において板厚方向に貫通して形成された通水孔と、前記凹部において前記通水孔に向けて下方に傾斜して形成された傾斜面と、前記傾斜面より上方に突出した複数の間隔保持片とを備え、前記周壁部は、前記複数の横架材上に配設される床面板が載置される載置面を有し、前記間隔保持片は、その上端面が前記載置面と略同一高さに位置するように形成されていることを特徴とする。
第２考案は、第１考案において、前記傾斜面は、前記凹部において前記周壁部から前記通水孔に向けて下方に傾斜して形成されるとともに、その上端が前記載置面より下方に位置していることを特徴とする。
第３考案は、第１考案又は第２考案において、前記傾斜面の表面に間隔を空けて形成された複数の凸部を更に備えることを特徴とする。
第４考案は、第３考案において、前記複数の凸部は、その最大径が３ｍｍ〜１０ｍｍ、その高さが１ｍｍ〜３ｍｍ、隣り合う凸部間の間隔が２ｍｍ〜５ｍｍとなるように形成されていることを特徴とする。
【考案の効果】
【０００９】
第１考案〜第４考案によれば、凹部を取り囲んで設けられた周壁部の載置面上に床面板を載置させることにより、床面板と床下断熱板の凹部との間において空気層を形成することが可能となる。また、間隔保持片が設けられているので、床面板がたわむ等することによりその床面板が床下断熱板の傾斜面に接触するのを防止して、その接触により傾斜面による水の流下が妨げられるのを防止することが可能となる。
第２考案によれば、傾斜面の上端近傍に付着した水が床面板と接触することによりその水が流下しにくくなるのを防止することが可能となる。また、床面板と床下断熱板の凹部との間において形成される空気層の大きさを大きくすることが可能となる。
第３考案、第４考案によれば、傾斜面上に付着した水滴の形状を崩して水滴が傾斜面を流下するのを促進して、傾斜面上に水滴が残留するのを防止することが可能となる。
【図面の簡単な説明】
【００１０】
【図１】第１実施形態に係る床下断熱板の構成を示す斜視図である。
【図２】第１実施形態に係る床下断熱板の構成を示す平面図である。
【図３】（ａ）は第１実施形態に係る床下断熱板を複数の横架材間に取り付ける前の状態を示す側面断面図であり、（ｂ）は取り付けた後の状態を示す側面断面図である。
【図４】（ａ）は図２のＡ部拡大図であり、（ｂ）は図２のＢ部拡大図である。
【図５】（ａ）は図４（ａ）のＣＣ線断面図であり、（ｂ）は図４（ｂ）のＤＤ線拡大図である。
【図６】（ａ）は傾斜面の凸部上に水滴が付着した状態を示す側面断面図であり、（ｂ）はその水滴が複数の凸部間の通水溝に流れ込む状態を示す側面断面図である。
【考案を実施するための形態】
【００１１】
以下、本考案を適用した床下断熱板を実施するための形態について、図面を参照しながら詳細に説明する。
【００１２】
床下断熱板１は、図１〜図５に示すように、床下構造５に用いられるものである。床下構造５は、左右に間隔を空けて架設された複数の横架材６と、複数の横架材６間に取り付けられる床下断熱板１と、複数の横架材６上に載置される床面板７とを備えている。
【００１３】
横架材６は、いわゆる大引き等から構成されるものであり、例えば、鋼材等の金属材料や木材から構成され、断面角形等の種々の断面形状に形成される。床面板７は、平面視において矩形状を呈する板材からなるものであり、例えば、構造用合板、石膏ボード、軽量気泡コンクリート板等から構成される。
【００１４】
床下断熱板１は、建物の屋内空間の断熱性を保持するために取り付けられる。床下断熱板１は、断熱板上面１ａに形成された凹部１１と、断熱板上面１ａにおいて凹部１１を取り囲んで設けられた周壁部１３と、凹部１１において板厚方向に貫通して形成された通水孔１５と、凹部１１において通水孔１５に向けて下方に傾斜して形成された傾斜面１７と、傾斜面１７より上方に突出した複数の間隔保持片２１と、傾斜面１７の表面に間隔を空けて形成された複数の凸部２３とを備えている。
【００１５】
床下断熱板１は、全体として矩形状を呈してなるものであり、例えば、ポリスチレンフォーム、ポリエチレンフォーム等の発泡合成樹脂材料からなる。床下断熱板１は、第１実施形態において、間隔保持片２１、凸部２３等とともに発泡成形により一体成形されて構成される。
【００１６】
周壁部１３は、矩形枠状に設けられており、その内側に凹部１１が形成されている。周壁部１３は、複数の横架材６上に床面板７が配設されたときに、その床面板７が載置される載置面１３ａをその上面に有している。周壁部１３は、複数の横架材６上に配設される床面板７が載置面１３ａ上に載置されたときに、その床面板７と床下断熱板１の凹部１１との間において、その周壁部１３により囲まれた内側の空間に空気層４１を形成するために設けられる。
【００１７】
通水孔１５は、傾斜面１７から流下してきた水をその通水孔１５内を通して床下断熱板１の下方に排出するために形成される。通水孔１５は、断熱板上面１ａから断熱板下面１ｂまで貫通して形成される。
【００１８】
傾斜面１７は、その上に付着した水を勾配の下方に向けて流下させるために形成される。傾斜面１７は、第１実施形態において、周壁部１３から通水孔１５に向けて下方に向かうような平面状の４つの傾斜面１７から形成され、４つの傾斜面１７が四角錐状をなしている。傾斜面１７は、この他にも、円錐状等に形成されていてもよい。
【００１９】
傾斜面１７は、第１実施形態において、その上端１７ａが載置面１３ａより下方に位置するように設けられている。これにより、載置面１３ａと傾斜面１７の上端１７ａとの間に段差が形成されることになり、傾斜面１７の上端１７ａ近傍に付着した水が床面板７と接触することにより流下しにくくなるのを防止することが可能となる。また、これにより、床面板７と床下断熱板１の凹部１１との間において形成される空気層４１の大きさを大きくすることが可能となり、これにより断熱性を高めることが可能となる。
【００２０】
断熱板上面１ａにおいて、通水孔１５と通水孔１５に向けて傾斜する傾斜面１７とを有する領域を傾斜領域１９とすると、第１実施形態においては、この傾斜領域１９が１つのみ設けられている場合を例示しているが、傾斜領域１９が複数設けられていてもよい。また、第１実施形態においては、通水孔１５が傾斜領域１９の中央部に形成されている場合を例示しているが、中央部から偏心して形成されていてもよいし、端部に形成されていてもよい。
【００２１】
間隔保持片２１は、複数の横架材６上に床面板７が配設されたときに、その間隔保持片２１が床面板７を支持することにより、凹部１１の傾斜面１７と床面板７の下面７ａとの間隔を保持するために設けられる。このため、間隔保持片２１は、その上端面２１ａが載置面１３ａと略同一高さに位置するように形成される。また、間隔保持片２１は、床面板７を支持したときに、床面板７と凹部１１の傾斜面１７との間隔が安定して保持されるような数が適宜設けられる。
【００２２】
間隔保持片２１は、円柱状に形成されているものを例示しているが、その形状はこれに限定するものではない。間隔保持片２１は、断熱板本体１１と一体成形されていることが好ましいが、これに限定するものではない。
【００２３】
複数の凸部２３は、一方向に間隔を空けて列状に配列されたものが、一方向と直交する方向に間隔を空けて複数列に亘って配列されており、第１実施形態においては、複数の凸部２３間に形成された通水溝２５が格子状をなすように形成されている。複数の凸部２３は、第１実施形態において、略四角形状に形成されているものを例示しているが、その形状はこれに限定するものではない。
【００２４】
複数の凸部２３は、図６に示すように、傾斜面１７の凸部２３上に水滴Ｗが付着したときに、凸部２３より低位置にある凸部２３間の通水溝２５に向けて水滴Ｗが自重により流れようとする作用を利用して、凸部２３上に付着した水滴Ｗの形状を崩して傾斜面１７上の水滴Ｗをより流下させ易くするために設けられている。複数の凸部２３がない場合、傾斜面１７上に付着した水滴Ｗの形状が崩れ難くなり、水滴Ｗが傾斜面１７上を流下することなく付着したまま残存し易くなる。
【００２５】
複数の凸部２３は、その最大径Ｌ１が３ｍｍ〜１０ｍｍ、その高さＨ１が１ｍｍ〜３ｍｍ、隣り合う凸部２３間の間隔Ｌ２が２ｍｍ〜５ｍｍに形成されることが好ましい。最大径が３ｍｍ未満、１０ｍｍ超では、水滴Ｗに対して凸部２３が小さくなり過ぎる、又は大きくなり過ぎて、その凸部２３上に付着した水滴Ｗの形状を崩しにくくなる。高さが１ｍｍ未満では、通水溝２５内に水滴Ｗが流れ難くなることにより水滴Ｗの形状が崩れ難くなり、高さが３ｍｍ超では、通水溝２５の溝深さが深くなりすぎてかえって通水溝２５内に水滴Ｗが残り易くなる。凸部２３間の間隔が２ｍｍ未満では、通水溝２５内に水滴Ｗが流れ難くなることにより水滴Ｗの形状が崩れ難くなり、凸部２３間の間隔が５ｍｍ超では、通水溝２５の溝幅が広くなりすぎて通水溝２５内で水滴が流下することなく残りやすくなる。
【００２６】
なお、床下断熱板１は、例えば、以下に説明するようにして複数の横架材６間に取り付けられる。
【００２７】
床下断熱板１は、その幅方向の両端部の上面において、横架材６の長手方向に沿うスリット３１が形成されており、これによって、その床下断熱板１の側端部１２が内側に弾性曲げ変形可能とされている。また、床下断熱板１の側端部１２の側面は、下方から上方に向かうにつれて断熱板本体１１の外側に傾斜する案内面１２ａが形成されている。これにより、複数の横架材６間に断熱板本体１１を嵌め込んだときに、案内面１２ａにより側端部１２が内側に曲げ変形しつつ断熱板本体１１が嵌め込まれ、側端部１２の弾性復元力により横架材６間に強固に取り付けられることになる。
【００２８】
なお、床下断熱板１の取り付け方法は、公知の方法であれば特に限定するものではない。また、床下断熱板１は、横架材６間に一つのみ取り付けられる場合を例示しているが、横架材６の長手方向に複数取り付けられていてもよいのは勿論である。
【００２９】
次に、本考案に係る床下断熱板１の作用効果について説明する。
【００３０】
床下断熱板１を配設してから床面板７を配設するまでの間に雨が降ったり、床面板７の下面７ａにおいて結露により結露水が発生したりした場合、床下断熱板１の傾斜面１７に水が付着することになる。このとき、傾斜面１７上に付着した水滴は傾斜面１７の勾配により通水孔１５に向けて下方に流下した後、通水孔１５を通して床下に落下して傾斜面１７上から排出される。
【００３１】
このとき、第１実施形態に係る床下断熱板１によれば、凹部１１を取り囲んで設けられた周壁部１３の載置面１３ａ上に床面板７を載置させることにより、床面板７と床下断熱板１の凹部１１との間において空気層４１を形成することが可能となる。
【００３２】
また、第１実施形態に係る床下断熱板１によれば、間隔保持片２１が設けられているため、床面板７がたわむ等することによりその床面板７が床下断熱板１の傾斜面１７に接触するのを防止して、その接触により傾斜面１７による水の流下が妨げられるのを防止することが可能となる。
【００３３】
また、第１実施形態に係る床下断熱板１によれば、傾斜面１７の上端１７ａが周壁部１３の載置面１３ａより下方に位置するように設けられているため、傾斜面１７の上端１７ａの近傍に付着した水が床面板７と接触することによりその水が流下しにくくなるのを防止することが可能となる。
【００３４】
また、第１実施形態に係る床下断熱板１によれば、複数の凸部２３が設けられているため、傾斜面１７上に付着した水滴の形状を崩して水滴が傾斜面１７を流下するのを促進して、傾斜面１７上に水滴が残留するのを防止することが可能となる。
【００３５】
以上、本考案の実施形態の例について詳細に説明したが、前述した実施形態は、何れも本考案を実施するにあたっての具体化の例を示したものに過ぎず、これらによって本考案の技術的範囲が限定的に解釈されてはならないものである。
【符号の説明】
【００３６】
１              ：床下断熱板
５              ：床下構造
６              ：横架材
７              ：床面板
１１            ：凹部
１３            ：周壁部
１３ａ          ：載置面
１５            ：通水孔
１７            ：傾斜面
２１            ：間隔保持片
２１ａ          ：上端面
２３            ：凸部
２５            ：通水溝
【図１】
0003166254.tif 000003
【図２】
0003166254.tif 000004
【図３】
0003166254.tif 000005
【図４】
0003166254.tif 000006
【図５】
0003166254.tif 000007
【図６】
0003166254.tif 000008